(57)【要約】【課題】本発明は、電子透かしを利用して確実かつ利用性が良好な状態で電子データの改ざんの有無を検知できる画像処理装置、情報処理装置及びデータ処理システムに関する。【解決手段】データ処理システムＴＳは、ネットワークＮＷを介して文書データの取出要求があると、画像処理装置１が、改ざん検知用情報埋込部３で、文書データの改ざんの有無を検知するための改ざん検知用透かしデータを埋め込むとともに、秘密情報埋込部４で、文書データの原本に関する原本情報と作成者に関する作成者情報を含む秘密情報を秘密透かしデータとして埋め込み、情報処理装置１０が、改ざん検知部１１で、ネットワークＮＷを介して取得した文書データの改ざんを改ざん検知用透かしデータに基づいて検知すると、秘密情報取得部１２で、秘密透かしデータから秘密情報を取得して、当該秘密情報の原本情報に基づいて画像処理装置１から当該文書データの原本データを取得する。【選択図】          図１
2006005626.tif 000002
【特許請求の範囲】
【請求項１】
所定のネットワークに接続され、当該ネットワークを介して送信する電子データに対して所定の透かしデータを埋め込むデータ埋込手段を備えた画像処理装置であって、前記データ埋込手段が、前記電子データの改ざんの有無を検知するための改ざん検知用透かしデータを埋め込む改ざん検知データ埋込手段と、少なくとも前記電子データの原本に関する原本情報と当該電子データの作成者に関する作成者情報を含む秘密情報を秘密透かしデータとして埋め込む秘密情報埋込手段と、を備えていることを特徴とする画像処理装置。
【請求項２】
少なくとも電子データに対して、当該電子データの改ざんの有無を検知するための改ざん検知用透かしデータと、少なくとも当該電子データの原本に関する原本情報と当該電子データの作成者に関する作成者情報を含む秘密情報の秘密透かしデータと、を埋め込むデータ埋込手段を備えた画像処理装置に、所定のネットワークで接続された情報処理装置であって、前記ネットワークを介して取得した電子データの改ざんの有無を前記改ざん検知用透かしデータに基づいて検知する改ざん検知手段と、前記秘密透かしデータから前記秘密情報を取得する情報取得手段と、を備え、前記改ざん検知手段が前記電子データの改ざんを検知すると、前記情報取得手段の取得した前記秘密情報の前記原本情報に基づいて前記画像処理装置から当該電子データの原本データを取得することを特徴とする情報処理装置。
【請求項３】
前記情報処理装置は、前記電子データと当該電子データの原本データとを比較して当該電子データの改ざん箇所を検知する改ざん箇所検知手段をさらに備え、当該改ざん箇所検知手段の検知した改ざん箇所を、前記情報取得手段の取得した前記秘密情報の前記作成者情報に基づいて当該電子データの作成者に通知することを特徴とする請求項２記載の情報処理装置。
【請求項４】
所定のネットワークに、少なくとも電子データに対して所定の透かしデータを埋め込むデータ埋込手段を備えた画像処理装置と、前記ネットワークを介して前記透かしデータの埋め込まれている電子データを取得する情報処理装置と、が接続されたデータ処理システムであって、前記画像処理装置は、前記データ埋込手段が、前記透かしデータとして前記電子データの改ざんの有無を検知するための改ざん検知用透かしデータを埋め込む改ざん検知用データ埋込手段と、少なくとも前記電子データの原本に関する原本情報と当該電子データの作成者に関する作成者情報を含む秘密情報を秘密透かしデータとして埋め込む秘密透かしデータ埋込手段と、を備え、前記情報処理装置が、前記改ざん検知用透かしデータに基づいて前記電子データの改ざんの有無を検知する改ざん検知手段と、前記秘密透かしデータから前記秘密情報を取得する情報取得手段と、を備え、前記改ざん検知手段が前記電子データの改ざんを検知すると、前記情報取得手段の取得した前記秘密情報の前記原本情報に基づいて前記画像処理装置から当該電子データの原本データを取得することを特徴とするデータ処理システム。
【請求項５】
前記データ処理システムは、前記情報処理装置が、前記電子データと当該電子データの原本データとを比較して当該電子データの改ざん箇所を検知する改ざん箇所検知手段をさらに備え、当該改ざん箇所検知手段の検知した改ざん箇所を、前記情報取得手段の取得した前記秘密情報の前記作成者情報に基づいて当該電子データの作成者に通知することを特徴とする請求項４記載のデータ処理システム。
【発明の詳細な説明】
【技術分野】
【０００１】
本発明は、画像処理装置、情報処理装置及びデータ処理システムに関し、詳細には、電子透かしを利用して確実にかつ利用性が良好な状態で電子データの改ざんの有無を検知できるようにする画像処理装置、情報処理装置及びデータ処理システムに関する。
【背景技術】
【０００２】
近年、デジタルカメラやスキャナ等のデジタル画像入力装置で取得されたデジタル画像を取り扱うことがおおくなり、デジタル画像は、加工や改ざんが容易であるため、デジタル画像入力装置で取得された画像データ（元画像データ）が種々の経路を経て人や機関に渡されたときに、その画像データが、元画像データそのものであるか否かが不明であることから、画像データが元画像データであることを保証する技術が要望されている。
【０００３】
このような技術として、従来、原画像と原画像に対応する透かし画像を管理装置にそれぞれ登録しておき、不正な改ざんの疑いのある合成画像と管理装置に登録された原画像とを比較し、その差分から透かし画像を抽出し、この抽出された透かし画像と管理装置にあらかじめ登録された透かし画像とを比較し、その結果が不一致の場合には画像が改ざんされたと判定する電子透かしを用いたディジタル画像の違法改ざん判定方法及び装置が提案されている（特許文献１参照）。
【０００４】
ところが、この従来技術にあっては、ファイルに署名情報を記録しておく必要があることから、特定のファイルフォーマットしか扱うことができず、また、検証結果として原本か否かのみの判定であり、原本でないと判定した場合に改ざん箇所を特定できない欠点がある。
【０００５】
そこで、本出願人は、先に、デジタル画像から改ざんを検証するためのデータ（以下、検証データ）を生成し、該検証データを前記画像に非可視的に埋め込む画像の改ざん検証データ埋め込み方法、この改ざん検証データ埋め込み方法によって改ざん検証データが埋め込まれた画像から所定の演算によって検証データを生成し、該生成された検証データと埋め込まれている改ざん検証データとを比較することにより前記画像が改ざんされているか否かを判定する画像の改ざん検証方法と画像の改ざん検証装置及びこの検証データ埋め込み方法を実現するプログラムを記録した記録媒体を提案している（特許文献２参照）。
【０００６】
すなわち、この従来技術は、画像データそのものに改ざんを検証するためのデータを埋め込むことにより、特別な画像フォーマットを用いる必要がなく、検証を行い、署名情報のような付加的な情報を記録することなく、さらに、検証の際には画素単位で原本か否かの検証を行うことから、原本と異なる画素すなわち改ざんのあった箇所の特定を行うことができる。
【０００７】
【特許文献１】特開平１１−９８３４４号公報
【特許文献２】特開２００１−１８６３２６号公報
【発明の開示】
【発明が解決しようとする課題】
【０００８】
しかしながら、上記従来技術にあっては、画像データに改ざんを検証するための検証データを埋め込んでいるのみであるため、改ざんの有無は検証することができるが、改ざんがあったことを検証した場合の対処方法が分からず、検証データを電子透かしとして利用した技術の利用性が悪く、改良の必要があった。
【０００９】
そこで、請求項１記載の発明は、所定のネットワークを介して送信する電子データに対して所定の透かしデータを埋め込むに際して、電子データの改ざんの有無を検知するための改ざん検知用透かしデータを埋め込むとともに、少なくとも電子データの原本に関する原本情報と当該電子データの作成者に関する作成者情報を含む秘密情報を秘密透かしデータとして埋め込むことにより、電子データを取得した情報処理装置等が、当該電子データに埋め込まれている改ざん検知用透かしデータで当該電子データの改ざんの有無を適切に検知するとともに、改ざんされている場合に、当該電子データに埋め込まれている秘密情報に基づいて当該電子データの原本を取得できるようにし、透かしデータの利用性の良好な画像処理装置を提供することを目的としている。
【００１０】
請求項２記載の発明は、電子データに対して当該電子データの改ざんの有無を検知するための改ざん検知用透かしデータと、少なくとも当該電子データの原本に関する原本情報と当該電子データの作成者に関する作成者情報を含む秘密情報の秘密透かしデータと、を埋め込む画像処理装置に、ネットワークを介して接続され、当該ネットワークを介して取得した電子データが改ざんされていることを当該電子データに埋め込まれている改ざん検知用透かしデータに基づいて検知すると、当該電子データに埋め込まれている秘密透かしデータから秘密情報を取得して、当該秘密情報の原本情報に基づいて画像処理装置から当該電子データの原本データを取得することにより、電子データに埋め込まれている改ざん検知用透かしデータで当該電子データの改ざんの有無を適切に検知するとともに、改ざんされている場合に、当該電子データに埋め込まれている秘密情報に基づいて当該電子データの原本を取得し、透かしデータをより一層有効に利用する情報処理装置を提供することを目的としている。
【００１１】
請求項３記載の発明は、取得した電子データが改ざんされている場合に、当該電子データと当該電子データの原本データとを比較して当該電子データの改ざん箇所を検知し、当該検知した改ざん箇所を、当該電子データに埋め込まれている秘密透かしデータから取得した秘密情報の作成者情報に基づいて当該電子データの作成者に通知することにより、電子データの作成者に改ざんされた電子データの改ざん箇所が分かるようにし、透かしデータをより一層有効に利用する情報処理装置を提供することを目的としている。
【００１２】
請求項４記載の発明は、所定のネットワークに、少なくとも電子データに対して所定の透かしデータを埋め込む画像処理装置と、当該ネットワークを介して透かしデータの埋め込まれている電子データを取得する情報処理装置と、が接続され、画像処理装置が、透かしデータとして、電子データの改ざんの有無を検知するための改ざん検知用透かしデータを埋め込むとともに、少なくとも電子データの原本に関する原本情報と当該電子データの作成者に関する作成者情報を含む秘密情報を秘密透かしデータとして埋め込み、情報処理装置が、当該ネットワークを介して取得した電子データが改ざんされていることを当該電子データに埋め込まれている改ざん検知用透かしデータに基づいて検知すると、当該電子データに埋め込まれている秘密透かしデータから秘密情報を取得して、当該秘密情報の原本情報に基づいて画像処理装置から当該電子データの原本データを取得することにより、電子データに埋め込まれている改ざん検知用透かしデータで当該電子データの改ざんの有無を適切に検知するとともに、改ざんされている場合に、当該電子データに埋め込まれている秘密情報に基づいて当該電子データの原本を取得し、透かしデータの利用性の良好なデータ処理システムを提供することを目的としている。
【００１３】
請求項５記載の発明は、情報処理装置が、ネットワークを介して取得した電子データが改ざんされている場合に、当該電子データと当該電子データの原本データとを比較して当該電子データの改ざん箇所を検知し、当該検知した改ざん箇所を、当該電子データに埋め込まれている秘密透かしデータから取得した秘密情報の作成者情報に基づいて当該電子データの作成者に通知することにより、電子データの作成者に改ざんされた電子データの改ざん箇所が分かるようにし、透かしデータの利用性のより一層良好なデータ処理システムを提供することを目的としている。
【課題を解決するための手段】
【００１４】
請求項１記載の発明の画像処理装置は、所定のネットワークに接続され、当該ネットワークを介して送信する電子データに対して所定の透かしデータを埋め込むデータ埋込手段を備えた画像処理装置であって、前記データ埋込手段が、前記電子データの改ざんの有無を検知するための改ざん検知用透かしデータを埋め込む改ざん検知データ埋込手段と、少なくとも前記電子データの原本に関する原本情報と当該電子データの作成者に関する作成者情報を含む秘密情報を秘密透かしデータとして埋め込む秘密情報埋込手段と、を備えていることにより、上記目的を達成している。
【００１５】
請求項２記載の発明の情報処理装置は、少なくとも電子データに対して、当該電子データの改ざんの有無を検知するための改ざん検知用透かしデータと、少なくとも当該電子データの原本に関する原本情報と当該電子データの作成者に関する作成者情報を含む秘密情報の秘密透かしデータと、を埋め込むデータ埋込手段を備えた画像処理装置に、所定のネットワークで接続された情報処理装置であって、前記ネットワークを介して取得した電子データの改ざんの有無を前記改ざん検知用透かしデータに基づいて検知する改ざん検知手段と、前記秘密透かしデータから前記秘密情報を取得する情報取得手段と、を備え、前記改ざん検知手段が前記電子データの改ざんを検知すると、前記情報取得手段の取得した前記秘密情報の前記原本情報に基づいて前記画像処理装置から当該電子データの原本データを取得することにより、上記目的を達成している。
【００１６】
この場合、例えば、請求項３に記載するように、前記情報処理装置は、前記電子データと当該電子データの原本データとを比較して当該電子データの改ざん箇所を検知する改ざん箇所検知手段をさらに備え、当該改ざん箇所検知手段の検知した改ざん箇所を、前記情報取得手段の取得した前記秘密情報の前記作成者情報に基づいて当該電子データの作成者に通知するものであってもよい。
【００１７】
請求項４記載の発明のデータ処理システムは、所定のネットワークに、少なくとも電子データに対して所定の透かしデータを埋め込むデータ埋込手段を備えた画像処理装置と、前記ネットワークを介して前記透かしデータの埋め込まれている電子データを取得する情報処理装置と、が接続されたデータ処理システムであって、前記画像処理装置は、前記データ埋込手段が、前記透かしデータとして前記電子データの改ざんの有無を検知するための改ざん検知用透かしデータを埋め込む改ざん検知用データ埋込手段と、少なくとも前記電子データの原本に関する原本情報と当該電子データの作成者に関する作成者情報を含む秘密情報を秘密透かしデータとして埋め込む秘密透かしデータ埋込手段と、を備え、前記情報処理装置が、前記改ざん検知用透かしデータに基づいて前記電子データの改ざんの有無を検知する改ざん検知手段と、前記秘密透かしデータから前記秘密情報を取得する情報取得手段と、を備え、前記改ざん検知手段が前記電子データの改ざんを検知すると、前記情報取得手段の取得した前記秘密情報の前記原本情報に基づいて前記画像処理装置から当該電子データの原本データを取得することにより、上記目的を達成している。
【００１８】
この場合、例えば、請求項５に記載するように、前記データ処理システムは、前記情報処理装置が、前記電子データと当該電子データの原本データとを比較して当該電子データの改ざん箇所を検知する改ざん箇所検知手段をさらに備え、当該改ざん箇所検知手段の検知した改ざん箇所を、前記情報取得手段の取得した前記秘密情報の前記作成者情報に基づいて当該電子データの作成者に通知するものであってもよい。
【発明の効果】
【００１９】
請求項１記載の発明の画像処理装置によれば、所定のネットワークを介して送信する電子データに対して所定の透かしデータを埋め込むに際して、電子データの改ざんの有無を検知するための改ざん検知用透かしデータを埋め込むとともに、少なくとも電子データの原本に関する原本情報と当該電子データの作成者に関する作成者情報を含む秘密情報を秘密透かしデータとして埋め込むので、電子データを取得した情報処理装置等が、当該電子データに埋め込まれている改ざん検知用透かしデータで当該電子データの改ざんの有無を適切に検知することができるとともに、改ざんされている場合に、当該電子データに埋め込まれている秘密情報に基づいて当該電子データの原本を取得できるようにすることができ、透かしデータの利用性を向上させることができる。
【００２０】
請求項２記載の発明の情報処理装置によれば、電子データに対して当該電子データの改ざんの有無を検知するための改ざん検知用透かしデータと、少なくとも当該電子データの原本に関する原本情報と当該電子データの作成者に関する作成者情報を含む秘密情報の秘密透かしデータと、を埋め込む画像処理装置に、ネットワークを介して接続され、当該ネットワークを介して取得した電子データが改ざんされていることを当該電子データに埋め込まれている改ざん検知用透かしデータに基づいて検知すると、当該電子データに埋め込まれている秘密透かしデータから秘密情報を取得して、当該秘密情報の原本情報に基づいて画像処理装置から当該電子データの原本データを取得するので、電子データに埋め込まれている改ざん検知用透かしデータで当該電子データの改ざんの有無を適切に検知することができるとともに、改ざんされている場合に、当該電子データに埋め込まれている秘密情報に基づいて当該電子データの原本を取得することができ、透かしデータをより一層有効に利用することができる。
【００２１】
請求項３記載の発明の情報処理装置によれば、取得した電子データが改ざんされている場合に、当該電子データと当該電子データの原本データとを比較して当該電子データの改ざん箇所を検知し、当該検知した改ざん箇所を、当該電子データに埋め込まれている秘密透かしデータから取得した秘密情報の作成者情報に基づいて当該電子データの作成者に通知するので、電子データの作成者に改ざんされた電子データの改ざん箇所が分かるようにすることができ、透かしデータをより一層有効に利用することができる。
【００２２】
請求項４記載の発明のデータ処理システムによれば、所定のネットワークに、少なくとも電子データに対して所定の透かしデータを埋め込む画像処理装置と、当該ネットワークを介して透かしデータの埋め込まれている電子データを取得する情報処理装置と、が接続され、画像処理装置が、透かしデータとして、電子データの改ざんの有無を検知するための改ざん検知用透かしデータを埋め込むとともに、少なくとも電子データの原本に関する原本情報と当該電子データの作成者に関する作成者情報を含む秘密情報を秘密透かしデータとして埋め込み、情報処理装置が、当該ネットワークを介して取得した電子データが改ざんされていることを当該電子データに埋め込まれている改ざん検知用透かしデータに基づいて検知すると、当該電子データに埋め込まれている秘密透かしデータから秘密情報を取得して、当該秘密情報の原本情報に基づいて画像処理装置から当該電子データの原本データを取得するので、電子データに埋め込まれている改ざん検知用透かしデータで当該電子データの改ざんの有無を適切に検知することができるとともに、改ざんされている場合に、当該電子データに埋め込まれている秘密情報に基づいて当該電子データの原本を取得することができ、透かしデータの利用性を向上させることができる。
【００２３】
請求項５記載の発明のデータ処理システムによれば、情報処理装置が、ネットワークを介して取得した電子データが改ざんされている場合に、当該電子データと当該電子データの原本データとを比較して当該電子データの改ざん箇所を検知し、当該検知した改ざん箇所を、当該電子データに埋め込まれている秘密透かしデータから取得した秘密情報の作成者情報に基づいて当該電子データの作成者に通知するので、電子データの作成者に改ざんされた電子データの改ざん箇所が分かるようにすることができ、透かしデータの利用性をより一層向上させることができる。
【発明を実施するための最良の形態】
【００２４】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２５】
図１及び図２は、本発明の画像処理装置、情報処理装置及びデータ処理システムの第１実施例を示す図であり、図１は、本発明の画像処理装置、情報処理装置及びデータ処理システムの第１実施例を適用した画像処理装置１の要部ブロック構成図である。
【００２６】
図１において、画像処理装置１は、記憶部２、改ざん検知用情報埋込部３及び秘密情報埋込部４等を備えており、図２に示すように、ネットワークＮＷに接続されている。
【００２７】
記憶部２は、所定容量を有するハードディスク、ＲＡＭ（Random Access Memory）等で構成され、画像処理対象の複数の文書データを蓄積する。
【００２８】
改ざん検知用情報埋込部（改ざん検知データ埋込手段）３は、記憶部２に蓄積されている文書データのうち、ネットワークＮＷを介して引きされる文書データに対して当該文書データが改ざんされた場合に検知するための改ざん検知用透かしデータを埋め込む。
【００２９】
秘密情報埋込部（秘密情報埋込手段）４は、記憶部２に蓄積されている文書データのうち、ネットワークＮＷを介して引き出される文書データに対して、少なくとも当該文書データの原本に関する原本情報と当該文書データの作成者に関する作成者情報を含む秘密情報を秘密透かしデータとして埋め込む。この原本情報は、当該文書データを蓄積元から取得するのに必要な情報であり、例えば、当該文書データの蓄積されている画像処理装置１のＩＰアドレス、文書データの文書管理番号等である。また、作成者情報は、作成者の氏名、作成者への連絡方法、例えば、ｅｍａｉｌアドレス等である。
【００３０】
そして、この画像処理装置１は、例えば、図２に示すように、ネットワークＮＷを介して、改ざん検知機能を備えた情報処理装置１０に接続されているとともに、その他の情報処理装置２０に接続されて、データ処理システムＴＳの構成要素として機能する。すなわち、データ処理システムＴＳは、ネットワークＮＷに、画像処理装置１と情報処理装置１０が接続されており、また、情報処理装置２０が接続されている。
【００３１】
情報処理装置１０は、例えば、パーソナルコンピュータ等であり、ＯＳ（Operating System）上で動作するアプリケーションで構築される機能部として、改ざん検知部１１と秘密情報取得部１２を備えている。
【００３２】
改ざん検知部１１は、ネットワークＮＷを介して文書データを取得すると、当該文書データが改ざんされた文書データであるか否かを、当該文書データに埋め込まれている改ざん検知用透かしデータに基づいて検知する。
【００３３】
秘密情報取得部１２は、上記ネットワークＮＷを介して取得した文書データから当該文書データに埋め込まれている秘密情報を取得する。
【００３４】
次に、本実施例の作用を説明する。本実施例のデータ処理システムＴＳは、画像処理装置１が、取り出される文書データに、改ざん検知用透かしデータと秘密透かしデータを埋め込んで、改ざん検知機能を備えた情報処理装置１０が取得した文書データが改ざんされているか否かを改ざん検知用透かしデータに基づいて検知して、改ざんされていると、当該文書データに埋め込まれている秘密情報に基づいて当該文書データの原文データを画像処理装置１から取得する。
【００３５】
すなわち、いま、図２に破線ラインＬ１で示すように、ネットワークＮＷに接続された他の情報処理装置２０が、画像処理装置１の記憶部２に格納されている文書データを引き出そうとすると、画像処理装置１が、当該引き出される文書データに、改ざん検知用情報埋込部３で改ざん検知用透かしデータを埋め込み、また、秘密情報埋込部４で少なくとも当該文書データの原本に関する原本情報と当該文書データの作成者に関する作成者情報を含む秘密情報を秘密透かしデータとして埋め込んで、当該改ざん検知用透かしデータと秘密透かしデータを埋め込んだ文書データを当該他の情報処理装置２０に渡す。
【００３６】
他の情報処理装置２０は、この受け取った文書データに改ざんを行い、改ざん文書データを、図２にラインＬ２で示すように、ネットワークＮＷを介して情報処理装置１０に送信すると、情報処理装置１０は、改ざん検知部１１が、受け取った文書データが改ざんされているか否かを文書データに埋め込まれている改ざん検知用透かしデータに基づいて検知し、また、秘密情報取得部１２が、文書データに埋め込まれている秘密透かしデータから秘密情報を取得する。
【００３７】
情報処理装置１０は、改ざん検知部１１によって当該受け取った文書データが改ざんされていると判断されると、秘密情報取得部１２の取得した秘密情報の原本情報に基づいて当該文書データの原本データの蓄積場所から原本データを取得するのに必要な情報を取得し、当該秘密情報に基づいて、図２にラインＬ３で示すように、当該文書データの原本データの蓄積されている画像処理装置１に対して原本データの取得要求を行って、ラインＬ４で示すように、画像処理装置１の記憶部２から文書データの原本データを取得する。
【００３８】
このように、本実施例のデータ処理システムＴＳは、その画像処理装置１が、ネットワークＮＷを介して送信する文書データ（電子データ）に対して、改ざん検知用情報埋込部３で、文書データの改ざんの有無を検知するための改ざん検知用透かしデータを埋め込み、秘密情報埋込部４で、少なくとも文書データの原本に関する原本情報と当該文書データの作成者に関する作成者情報を含む秘密情報を秘密透かしデータとして埋め込んでいる。
【００３９】
したがって、ネットワークＮＷを介して文書データを取得した情報処理装置１０が、当該文書データに埋め込まれている改ざん検知用透かしデータで当該文書データの改ざんの有無を適切に検知することができるとともに、改ざんされている場合に、改ざんされている文書データに埋め込まれている秘密情報に基づいて当該文書データの原本を取得できるようにすることができ、透かしデータの利用性を向上させることができる。
【００４０】
また、本実施例のデータ処理システムＴＳは、その情報処理装置１０が、少なくとも文書データに対して、当該文書データの改ざんの有無を検知するための改ざん検知用透かしデータと、少なくとも当該文書データの原本に関する原本情報と当該文書データの作成者に関する作成者情報を含む秘密情報の秘密透かしデータと、を埋め込む画像処理装置１に、ネットワークＮＷを介して接続され、当該ネットワークＮＷを介して取得した文書データの改ざんの有無を改ざん検知用透かしデータに基づいて検知する改ざん検知部１１が文書データの改ざんを検知すると、秘密情報取得部１２が、秘密透かしデータから秘密情報を取得して、当該秘密情報の原本情報に基づいて画像処理装置１から当該文書データの原本データを取得している。
【００４１】
したがって、文書データに埋め込まれている改ざん検知用透かしデータで当該文書データの改ざんの有無を適切に検知することができるとともに、改ざんされている場合に、当該文書データに埋め込まれている秘密情報に基づいて当該文書データの原本を取得することができ、透かしデータを有効に利用することができる。
【００４２】
さらに、本実施例のデータ処理システムＴＳは、ネットワークＮＷに、少なくとも文書データに対して所定の透かしデータを埋め込む画像処理装置１と、当該ネットワークＮＷを介して透かしデータの埋め込まれている文書データを取得する情報処理装置１０と、が接続され、画像処理装置１が、改ざん検知用情報埋込部３で、文書データの改ざんの有無を検知するための改ざん検知用透かしデータを埋め込み、秘密情報埋込部４で、少なくとも文書データの原本に関する原本情報と当該文書データの作成者に関する作成者情報を含む秘密情報を秘密透かしデータとして埋め込み、情報処理装置１０が、ネットワークＮＷを介して取得した文書データの改ざんの有無を改ざん検知用透かしデータに基づいて検知する改ざん検知部１１が文書データの改ざんを検知すると、秘密情報取得部１２が、秘密透かしデータから秘密情報を取得して、当該秘密情報の原本情報に基づいて画像処理装置１から当該文書データの原本データを取得している。
【００４３】
したがって、文書データに埋め込まれている改ざん検知用透かしデータで当該文書データの改ざんの有無を適切に検知することができるとともに、改ざんされている場合に、当該文書データに埋め込まれている秘密情報に基づいて当該文書データの原本を取得することができ、透かしデータの利用性を向上させることができる。
【実施例２】
【００４４】
図３は、本発明の画像処理装置、情報処理装置及びデータ処理システムの第２実施例を適用したデータ処理システムＴＳ２の要部ブロック構成図である。
【００４５】
なお、本実施例の説明においては、上記第１実施例のデータ処理システムＴＳの構成と同様の構成部分については、同一の符号を付して、その詳細な説明を省略する。
【００４６】
図３において、データ処理システムＴＳ２は、ネットワークＮＷを介して、上記第１実施例と同様の画像処理装置１とその他の情報処理装置２０が接続されているとともに、情報処理装置３０と作成者情報処理装置４０等が接続されている。
【００４７】
情報処理装置３０は、上記第１実施例の情報処理装置１０と同様に、例えば、パーソナルコンピュータ等であり、ＯＳ上で動作するアプリケーションで構築される機能部として、第１実施例の情報処理装置１０と同様の改ざん検知部１１と秘密情報取得部１２を備えているとともに、比較器３１を備えている。
【００４８】
比較器（改ざん箇所検知手段）３１は、ネットワークＮＷを介して取得した文書データが改ざん文書データであるときに、当該改ざん文書データと、取り寄せた当該改ざん文書データの原本データと、を比較して改ざん文書データの改ざん箇所を検出する。
【００４９】
作成者情報処理装置４０は、例えば、パーソナルコンピュータ等であり、作成者が、作成者情報処理装置４０を使用して文書を作成して、画像処理装置１の記憶部２に蓄積している。
【００５０】
そして、画像処理装置１の秘密情報埋込部１４は、上記ネットワークＮＷ上の作成者情報処理装置４０のｅｍａｉｌアドレス等を、秘密情報の作成者情報の１つとする秘密透かしデータを文書データに埋め込む。
【００５１】
次に、本実施例の作用を説明する。本実施例のデータ処理システムＴＳ２は、画像処理装置１が、取り出される文書データに、改ざん検知用透かしデータと秘密透かしデータを埋め込んで、改ざん検知機能を備えた情報処理装置１０が取得した文書データが改ざんされているか否かを改ざん検知用透かしデータに基づいて検知して、改ざんされていると、当該文書データに埋め込まれている秘密情報に基づいて当該文書データの原文データを画像処理装置１から取得するとともに、改ざん文書データと原本データを比較して改ざん箇所を検知して、検知した改ざん箇所を作成者情報処理装置４０に通知する。
【００５２】
すなわち、いま、図２の場合と同様に、図３に破線ラインＬ１で示すように、ネットワークＮＷに接続された他の情報処理装置２０が、画像処理装置１の記憶部２に格納されている文書データを引き出そうとすると、画像処理装置１が、当該引き出される文書データに、改ざん検知用情報埋込部３で改ざん検知用透かしデータを埋め込み、また、秘密情報埋込部４で少なくとも当該文書データの原本に関する原本情報と当該文書データの作成者に関する作成者情報を含む秘密情報を秘密透かしデータとして埋め込んで、当該改ざん検知用透かしデータと秘密透かしデータを埋め込んだ文書データを当該他の情報処理装置２０に渡す。
【００５３】
他の情報処理装置２０は、この受け取った文書データに改ざんを行い、改ざん文書データを、図３にラインＬ２で示すように、ネットワークＮＷを介して情報処理装置３０に送信すると、情報処理装置３０は、改ざん検知部１１が、受け取った文書データが改ざんされているか否かを文書データに埋め込まれている改ざん検知用透かしデータに基づいて検知し、また、秘密情報取得部１２が、文書データに埋め込まれている秘密透かしデータから秘密情報を取得する。
【００５４】
情報処理装置３０は、改ざん検知部１１によって当該受け取った文書データが改ざんされていると判断されると、秘密情報取得部１２の取得した秘密情報の原本情報に基づいて当該文書データの原本データの蓄積場所から原本データを取得するのに必要な情報を取得し、当該秘密情報に基づいて、図３にラインＬ３で示すように、当該文書データの原本データの蓄積されている画像処理装置１に対して原本データの取得要求を行って、ラインＬ４で示すように、画像処理装置１の記憶部２から文書データの原本データを取得する。
【００５５】
情報処理装置３０は、画像処理装置１から文書データの原本データを取得すると、比較器３１で、改ざん文書データと原本データを比較して、改ざん文書データの改ざん箇所を検知し、図３にラインＬ５で示すように、検知した改ざん箇所を作成者情報処理装置４０に通知する。このとき、情報処理装置４０は、例えば、秘密情報取得部１２の取得した秘密情報の作成者情報の１つであるｅｍａｉｌアドレスを取得して、当該ｅｍａｉｌアドレスを使用して、電子メールで改ざん箇所を通知する。
【００５６】
このように、本実施例のデータ処理システムＴＳ２は、情報処理装置３０が、ネットワークＮＷを介して取得した文書データが改ざんされている場合に、比較器３１で、当該文書データと当該文書データの原本データとを比較して当該文書データの改ざん箇所を検知して、当該検知した改ざん箇所を、秘密情報取得部１２の取得した秘密情報の作成者情報に基づいて当該文書データの作成者に通知している。
【００５７】
したがって、文書データの作成者に改ざんされた文書データの改ざん箇所が分かるようにすることができ、透かしデータの利用性をより一層向上させることができる。
【００５８】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００５９】
文書データを改ざんの有無を透かしデータを文書データに埋め込んで検出可能とするとともに、文書情報等の秘密情報を秘密透かしデータ文書データに埋め込んで、原本データを容易に取得可能とし、また、改ざん文書データの改ざん箇所を作成者に容易に通知する画像処理装置、情報処理装置及びデータ処理システムに適用することができる。
【図面の簡単な説明】
【００６０】
【図１】本発明の画像処理装置、情報処理装置及びデータ処理システムの第１実施例を適用した画像処理装置の要部ブロック構成図。
【図２】図１の画像処理装置の適用されるデータ処理システムのブロック構成図。
【図３】本発明の画像処理装置、情報処理装置及びデータ処理システムの第２実施例を適用したデータ処理システムのブロック構成図。
【符号の説明】
【００６１】
１  画像処理装置
２  記憶部
３  改ざん検知用情報埋込部
４  秘密情報埋込部
ＮＷ  ネットワーク
ＴＳ、ＴＳ２  データ処理システム
１０  情報処理装置
１１  改ざん検知部
１２  秘密情報取得部
２０  他の情報処理装置
３０  情報処理装置
３１  比較器
４０  作成者情報処理装置
【図１】
2006005626.tif 000003
【図２】
2006005626.tif 000004
【図３】
2006005626.tif 000005